(57)【要約】      （修正有）【課題】装用状態でイメージチェンジを図ることができ、実用性も向上できる衣服を提供する。【解決手段】絵柄模様２を備えた衣服１において、絵柄模様２の上に着脱可能な長尺状、椀状もしくは袋状の被覆用絵柄生地３を備え、被覆用絵柄生地３は、ホック・ボタン・スナップ・面ファスナのいずれか、あるいはその組み合わせによる留め具４を介して、衣服１の絵柄模様２の上面に取り付けるものとする。また、衣服１の絵柄模様２は、果実の断面形状に形成し、該絵柄模様２の上面に取り付ける被覆用絵柄生地３は、果実の外観形状に形成する。そして、装用状態で衣服１の絵柄模様２から取り外した被覆用絵柄生地３は、当該衣服１以外の服飾雑貨として利用する。【選択図】図２
0003219509.tif 000002
【実用新案登録請求の範囲】
【請求項１】
絵柄模様を備えた衣服おいて、前記絵柄模様の上面に、当該絵柄模様に対応する被覆用絵柄生地で形成した服飾雑貨を着脱自在に備え、装用状態で前記服飾雑貨を取り外して用いることを特徴とする衣服。
【請求項２】
被覆用絵柄生地は、絵柄模様に対応する長尺状、椀状もしくは袋状である、ことを特徴とする請求項１に記載の衣服。
【請求項３】
被覆用絵柄生地は、ホック・ボタン・スナップ・面ファスナのいずれか、あるいはその組み合わせによる留め具を介して、衣服の絵柄模様の上面に取り付けられる請求項１又は２に記載の衣服。
【請求項４】
衣服の絵柄模様は、果実の断面形状によって形成され、該絵柄模様の上面に取り付けられる被覆用絵柄生地は、前記果実の外観形状によって形成されている請求項１乃至３のいずれか１項に記載の衣服。
【請求項５】
服飾雑貨は、当該衣服以外の装身携帯具又は実用小物である請求項１乃至４のいずれか１項に記載の衣服。
【請求項６】
装身携帯具又は実用小物は、マフラー・帽子・ショルダーバッグ・リュックサック・ナップザック・手袋・バッグ・マスクのいずれかである請求項５に記載の衣服。
【請求項７】
衣服は、ニット製のセーター・ワンピースである請求項１乃至６のいずれか１項に記載の衣服。
【考案の詳細な説明】
【技術分野】
【０００１】
本考案は、着脱可能な絵柄を備えた衣服に関するものである。
【背景技術】
【０００２】
従来、表と裏の両方で着用可能なリバーシブルの衣服が知られている。このような衣服は、表生地と裏生地が重ねられて縫い合わされているものや、表と裏の両面が外面として着用可能な一枚の生地で作られているものがある。
【０００３】
例えば、特許文献１には、衣服の一方の面がニットで、他方の面に模様のあるスカーフ生地をはぎ合わせてあり、裏表で着替えることにより、大幅なイメージチェンジを図ることができるリバーシブル衣服が開示されている。
【先行技術文献】
【特許文献】
【０００４】
【特許文献１】特開２００６−８３５０１号公報
【考案の概要】
【考案が解決しようとする課題】
【０００５】
しかしながら、上記した特許文献１に示されているリバーシブル衣服は、裏返しにして着替えることにより、大幅なイメージチェンジを図ることを目的としており、装用状態でイメージチェンジを図ることのできる衣類は存在していなかった。また、単に色や柄の外観、表面生地等を変更するだけであり、実用上の違いはほとんどない。
【０００６】
そこで、本考案は如上のような従来存した諸事情に鑑み創出されたもので、装用状態で、絵柄のイメージチェンジを図ることができ、実用性も向上できる衣服を提供することを目的とする。
【課題を解決するための手段】
【０００７】
本考案に係る請求項１の考案は、絵柄模様を備えた衣服おいて、前記絵柄模様の上面に、当該絵柄模様に対応する被覆用絵柄生地を着脱自在に備え、装用状態で前記服飾雑貨を取り外して用いることで、上述した課題を解決した。
【０００８】
この請求項１に係る衣服によれば、装用状態のまま、単に被覆用絵柄生地を取り外すだけで絵柄のパターンを容易に変えてイメージチェンジを図ることができ、取り外した被覆用絵柄生地を服飾雑貨に用いることで実用性も向上できる。
【０００９】
また、本考案に係る請求項２の考案は、被覆用絵柄生地は、絵柄模様に対応する長尺状、椀状もしくは袋状である、ことで、同じく、上述した課題を解決した。
【００１０】
この請求項２に係る衣服によれば、被覆用絵柄生地が、絵柄模様に対応する長尺状、椀状もしくは袋状であることで、服飾雑貨としての機能を持たせつつ絵柄模様の上面に着脱自在に取り付けることができる。
【００１１】
また、本考案に係る請求項３の考案は、被覆用絵柄生地は、ホック・ボタン・スナップ・面ファスナのいずれか、あるいはその組み合わせによる留め具によって、衣服の絵柄模様の上面に取り付けられることで、同じく、上述した課題を解決した。
【００１２】
この請求項３に係る衣服によれば、ホック・ボタン・スナップ・面ファスナのいずれか、あるいはその組み合わせによる留め具を介して、衣服の絵柄模様に対する被覆用絵柄生地の着脱が容易に行えるものとなり、絵柄のパターンを容易に変えることができる。
【００１３】
さらに、本考案に係る請求項４の考案は、絵柄模様は、果実の断面形状によって形成され、該絵柄模様の上面に取り付けられる被覆用絵柄生地は、前記果実の外観形状によって形成されていることで、同じく、上述した課題を解決した。
【００１４】
この請求項４に係る衣服によれば、被覆用絵柄生地を取り外した際の衣服の表面には、前記果実の外観形状に対応した果実の断面による絵柄模様が現れることから、衣服としての外観イメージ上の面白味が向上する。しかも、取り外した被覆用絵柄生地を、果実の外観形状の服飾雑貨として用いることで、デザインの一貫性も得られる。
【００１５】
また、本考案に係る請求項５の考案は、服飾雑貨は、衣服以外の装身携帯具又は実用小物であることで、同じく、上述した課題を解決した。
【００１６】
この請求項５に係る衣服によれば、衣服の絵柄模様から取り外された被覆用絵柄生地を、装身携帯具又は実用小物として有効に活用することができる。
【００１７】
この他、本考案に係る請求項６の考案は、装身携帯具又は実用小物は、マフラー・帽子・ショルダーバッグ・リュックサック・ナップザック・手袋・バッグ・マスクのいずれかであることで、同じく、上述した課題を解決した。
【００１８】
この請求項６に係る衣服によれば、衣類の絵柄模様から取り外された被覆用絵柄生地を、マフラー・帽子・ショルダーバッグ・リュックサック・ナップザック・手袋・バッグ・マスク等として有効に活用することができ、独自構成の装身携帯具又は実用小物を別に持ち歩く手間が省ける。
【００１９】
また、本考案に係る請求項７の考案は、衣服は、ニット製のセーター・ワンピースであることで、同じく、上述した課題を解決した。
【００２０】
この請求項７に係る衣服によれば、絵柄のイメージチェンジを図ることができるセーター・ワンピースとして、幅広く活用することができる。
【考案の効果】
【００２１】
本考案に係る絵柄模様を備えた衣類において、絵柄模様の上に着脱可能な被覆用絵柄生地を備えることにより、装用状態のまま単に被覆用絵柄生地を取り外すだけで衣服のイメージチェンジを容易に図ることができる。また、取り外した前記被覆用絵柄生地を服飾雑貨に用いることで、実用性も向上できる。
【図面の簡単な説明】
【００２２】
【図１】本考案の実施例１による衣服の使用状態の概略を示す正面図である。
【図２】同じく被覆用絵柄生地を衣服から外している状態を示す正面図である。
【図３】同じく被覆用絵柄生地をマフラーとして使用した状態を示す正面図である。
【図４】図４中、（ａ）は本考案の実施例２による衣服の使用状態の概略を示す正面図、（ｂ）は衣服から被覆用絵柄生地を取り外した状態の正面図である。
【図５】図５中、（ａ）は本考案の実施例３による衣服の使用状態の概略を示す正面図、（ｂ）は衣服から被覆用絵柄生地を取り外した状態の正面図である。
【図６】図６中、（ａ）は本考案の実施例４による衣服の使用状態の概略を示す正面図、（ｂ）は衣服から被覆用絵柄生地を取り外して肩紐で吊り下げた状態の正面図である。
【図７】本考案の実施例５による被覆用絵柄生地を取り外して手提げバッグとして使用した状態の正面図である。
【図８】本考案の実施例６による被覆用絵柄生地を取り外してリュックサックとして使用した状態の正面図である。
【図９】図９中、（ａ）は本考案の実施例７による衣服の使用状態の概略を示す正面図、（ｂ）は被覆用絵柄生地を衣服から取り外してナップザック及び手袋として使用した状態の正面図である。
【考案を実施するための形態】
【００２３】
以下に、図面を参照して、本考案の一実施の形態について説明する。
【００２４】
本考案に係る衣服１は、図１乃至図９に示すように、ニット製のセーターに、例えば、バナナ・ミカン・スイカ・パイナップル・リンゴ・メロン・イチゴ等の果実の断面形状によって形成された絵柄模様２を備えている。
【００２５】
また、該絵柄模様２の上面には、当該絵柄模様２に対応する果実の外観形状の被覆用絵柄生地３によって形成された服飾雑貨を着脱自在に備える。被覆用絵柄生地３は、長尺状、椀状もしくは袋状であり、例えば、ホック・ボタン・スナップ・面ファスナ等の留め具４により、絵柄模様２の上面に貼着される。
【００２６】
そして、衣服の絵柄模様２から取り外された被覆用絵柄生地３は、繊維製の服飾雑貨、より詳しくは当該衣服１以外の装身携帯具又は実用小物として、例えば、マフラー・帽子・ショルダーバッグ・リュックサック・ナップザック・手袋・バッグ・マスク等に使用する。
【００２７】
以下に、本考案の実施形態に係る各実施例について説明する。
【００２８】
＜実施例１＞
本実施例では、図１乃至図３に示すように、丸首セーターによる衣服１の正面中央の首元から斜め下方向にかけて湾曲したバナナ果実の断面形状による絵柄模様２と、該絵柄模様２の外郭形状に対応したバナナ果実の外観（皮付き）の絵柄を有する長尺状の被覆用絵柄生地３とを備えている。
【００２９】
そして、前記絵柄模様２にはその輪郭に沿って面ファスナによる留め具４が付設されており、該留め具４を介して、絵柄模様２の上面に被覆用絵柄生地３が貼着されている。図２に示すように、装用状態で被覆用絵柄生地３を下側からめくるようにして衣服１から取り剥がした後、図３に示すように、この被覆用絵柄生地３を衣服１以外の装身携帯具であるマフラーとして使用する。
【００３０】
こうして、衣服１のイメージチェンジを容易に図ることができると同時に、衣服１の絵柄模様２から剥がされた被覆用絵柄生地３を防寒のための実用品として有効に活用することができ、独自構成の装身携帯具であるマフラーを別に持ち歩く手間が省ける。しかも、バナナ果実の断面形状による絵柄模様２を有する衣服１とバナナ果実の外観の絵柄３を有するマフラーの組み合わせになり、デザインの一貫性も得られる。
【００３１】
＜実施例２＞
本実施例では、図４（ａ）及び図４（ｂ）に示すように、丸首セーターによる衣服１の正面中央の胸元に形成したミカン果実の横断面形状による絵柄模様２と、該絵柄模様２の外郭形状に対応したミカン果実の外観（皮付きの平面形状）の絵柄を有する椀状の被覆用絵柄生地３とを備えている。
【００３２】
そして、前記絵柄模様２にはその輪郭に沿った上下左右の４箇所にホック・ボタン・スナップ等による留め具４が付設されており、該留め具４を介して、絵柄模様２の上面に被覆用絵柄生地３が取り付けられている。図４（ｂ）に示すように、留め具４を外して、被覆用絵柄生地３を衣服１から取り外した後には、この被覆用絵柄生地３を衣服１以外の装身携帯具である帽子として使用する。
【００３３】
尚、本実施例における作用効果は、上記実施例１の場合と同様である。
【００３４】
＜実施例３＞
本実施例では、図５（ａ）及び図５（ｂ）に示すように、丸首ワンピースによる衣服１の正面中央の胸元に形成したスイカ果実の縦断面形状による絵柄模様２と、該絵柄模様２の外郭形状に対応したスイカ果実の外観（皮付きの側面形状）の絵柄を有する椀状の被覆用絵柄生地３とを備えている。
【００３５】
そして、前記絵柄模様２にはその輪郭に沿った上側中央と下側左右との３箇所にホック・ボタン・スナップ等による留め具４が付設されており、該留め具４を介して、絵柄模様２の上面に被覆用絵柄生地３が取り付けられている。図５（ｂ）に示すように、留め具４を外して、被覆用絵柄生地３を衣服１から取り外した後には、この被覆用絵柄生地３を衣服１以外の装身携帯具である前鍔状の庇３Ａ付きの帽子（スイカ側面視絵柄を有する庇帽）として使用する。
【００３６】
尚、本実施例における作用効果は、上記実施例１乃び２の場合と同様である。
【００３７】
＜実施例４＞
本実施例では、図６（ａ）及び図６（ｂ）に示すように、丸首ワンピースによる衣服１の正面中央の胸元から腹位置にかけて形成したパイナップル果実の縦断面形状による絵柄模様２と、該絵柄模様２の外郭形状に対応したパイナップル果実の外観（皮付きの側面形状）の絵柄を有する袋状で且つ肩掛けベルト３Ｂを備えた被覆用絵柄生地３とを備えている。
【００３８】
そして、前記絵柄模様２にはその輪郭に沿って面ファスナによる留め具４が付設されており、該留め具４を介して、絵柄模様２の上面に、肩掛けベルト３Ｂを内側に折畳んだ状態の被覆用絵柄生地３が貼着されている。図６（ｂ）に示すように、被覆用絵柄生地３を衣服１から剥がした後には、この被覆用絵柄生地３を実用小物である肩掛けベルト３Ｂ付きのショルダーバッグ（パイナップル側面視絵柄を有するバッグ）として使用する。
【００３９】
尚、本実施例における作用効果は、上記実施例１乃至３の場合と同様である。
【００４０】
＜実施例５＞
本実施例では、図７に示すように、丸首ワンピースによる衣服１の正面中央の胸元に形成したリンゴ果実の縦断面形状による絵柄模様２と、該絵柄模様２の外郭形状に対応したリンゴ果実の外観（皮付きの側面形状）の絵柄を有する袋状で且つ手提げベルト３Ｃを備えた覆用絵柄生地３とを備えている。
【００４１】
そして、前記絵柄模様２にはその輪郭に沿った上下左右の４箇所にホック・ボタン・スナップ等による留め具４が付設されており、該留め具４を介して、絵柄模様２の上面に、手提げベルト３Ｃを内側に折畳んだ状態の被覆用絵柄生地３が取り付けられている。留め具４を外して、被覆用絵柄生地３を衣服１から取り外した後には、この被覆用絵柄生地３を実用小物である手提げベルト３Ｃ付きのハンドバッグ（リンゴ側面視絵柄を有するハンドバッグ）として使用する。
【００４２】
尚、本実施例における作用効果は上記実施例１乃至４の場合と同様である。
【００４３】
＜実施例６＞
本実施例では、図８に示すように、丸首ワンピースによる衣服１の正面中央の胸元に形成したメロン果実の縦断面形状による絵柄模様２と、該絵柄模様２の外郭形状に対応したメロン果実の外観（皮付きの側面形状）の絵柄を有する袋状で且つ左右一対の背掛けベルト３Ｄを備えた覆用絵柄生地３とを備えている。
【００４４】
そして、前記絵柄模様２にはその輪郭に沿って面ファスナによる留め具４が付設されており、該留め具４を介して、絵柄模様２の上面に、背掛けベルト３Ｄを内側に折畳んだ状態の被覆用絵柄生地３が貼着されている。被覆用絵柄生地３を衣服１から取り剥がした後には、この被覆用絵柄生地３を実用小物である背掛けベルト３Ｄ付きのリュックサック（メロン側面視絵柄を有するリュックサック）として使用する。
【００４５】
尚、本実施例における作用効果は、上記実施例１乃至５の場合と同様である。
【００４６】
＜実施例７＞
本実施例では、図９（ａ）及び図９（ｂ）に示すように、丸首ワンピースによる衣服１の正面中央の胸元、及び下側左右位置（左右前身頃）に形成したイチゴ果実の縦断面形状による絵柄模様２と、該絵柄模様２の外郭形状に対応したイチゴ果実の外観（側面形状）の絵柄を有する袋状で且つ胸元の場合では左右一対の背掛けベルト３Ｄを備えた覆用絵柄生地３とを備えている。
【００４７】
そして、前記胸元の絵柄模様２にはその輪郭に沿った左右上下位置と中央下方位置との合計５箇所にホック・ボタン・スナップ等による留め具４が付設されており、前記下側左右位置（左右前身頃）の絵柄模様２には、その輪郭に沿って略Ｕ字状の面ファスナによる留め具４が付設されている。
【００４８】
胸元の絵柄模様２には、ホック・ボタン・スナップ等による留め具４を介して、背掛けベルト３Ｄを内側に折畳んだ状態の被覆用絵柄生地３が取り付けられている。この場合の被覆用絵柄生地３は、袋開口側が上向きとなって配置され、大きな胸ポケットとしている。
【００４９】
一方、下側左右位置（左右前身頃）の絵柄模様２には、面ファスナによる留め具４を介して、小袋状の被覆用絵柄生地３がその袋開口側が上向きとなって配置され、左右一対の小さな裾ポケットとしている。
【００５０】
図９（ｂ）に示すように、胸元の被覆用絵柄生地３を衣服１から取り外した後には、この被覆用絵柄生地３を実用小物である背掛けベルト３Ｄ付きのナップザック（イチゴ側面視絵柄を有するナップザック）として使用する。
【００５１】
一方、下側左右位置（左右前身頃）の被覆用絵柄生地３を衣服１から取り外した後には、この被覆用絵柄生地３を衣服１以外の装身携帯具である手袋（イチゴ側面視絵柄を有する手袋）として使用する。
【００５２】
尚、本実施例における作用効果は上記実施例１乃至６の場合と同様である。
【００５３】
上記した各実施例では、バナナ・ミカン・パイナップル・リンゴ・メロン・イチゴ等の果実を絵柄として使用しているが、これに限定されることはなく、断面形状が絵柄として明確に表現できるものであれば、どのような形状であっても差し支えない。
【００５４】
また、留め具４がホック・ボタン・スナップの場合を例にとって説明したが、これらを組み合わせても良いのは勿論である。
【００５５】
更に、上記した以外にも、上記各実施例による手法を適宜組み合わせて利用しても良く、また、一々例示はしないが、本考案は、その趣旨を逸脱しない範囲内において、種々の変更が加えられて実施されるものである。
【産業上の利用可能性】
【００５６】
本考案は、衣服は、ニット製のセーター・ワンピースのイメージチェンジを図ることのできる手法として、幅広く利用されるものである。
【符号の説明】
【００５７】
１…衣服
２…絵柄模様
３…被覆用絵柄生地（装飾雑貨）
３Ａ…庇
３Ｂ…肩掛けベルト
３Ｃ…手提げベルト
３Ｄ…背掛けベルト
４…留め具
【図１】
0003219509.tif 000003
【図２】
0003219509.tif 000004
【図３】
0003219509.tif 000005
【図４】
0003219509.tif 000006
【図５】
0003219509.tif 000007
【図６】
0003219509.tif 000008
【図７】
0003219509.tif 000009
【図８】
0003219509.tif 000010
【図９】
0003219509.tif 000011